(57)【特許請求の範囲】
【請求項１】
柔軟材からなるとともに両端が支持体に夫々取り付けられて断面Ｕ字形に吊り下げ支持されている帯体と、人体の脚や腕のような被マッサージ部を受ける上記帯体の内面側に位置している空気袋と、この空気袋を膨張収縮させる空気供給手段とからなり、上記支持体が折り畳み自在となっていることを特徴とするマッサージ機。
【請求項２】
支持体はリンクとして形成されて折り畳み自在となっていることを特徴とする請求項１記載のマッサージ機。
【請求項３】
支持体は膨張収縮自在な空気袋で形成されていることを特徴とする請求項１記載のマッサージ機。
【請求項４】
空気袋からなる支持体の膨張時の補強用の伸縮自在なリンク機構を備えていることを特徴とする請求項３記載のマッサージ機。
【請求項５】
空気袋からなる支持体の膨張時の補強用の伸縮自在なテレスコピック機構を備えていることを特徴とする請求項３記載のマッサージ機。
【請求項６】
空気袋からなる支持体を収縮させる方向に付勢する折り畳み促進手段を備えていることを特徴とする請求項３または４または５記載のマッサージ機。
【請求項７】
柔軟材からなるとともに左右両端が支持体に固定されて断面Ｕ字形に吊り下げ支持されている帯体と、人体の脚や腕のような被マッサージ部を受ける上記帯体の内面側に位置している空気袋と、この空気袋を膨張収縮させる空気供給手段とからなり、上記支持体は帯体を巻き取り収納する巻き取り手段を備えていることを特徴とするマッサージ機。
【請求項８】
帯体が連結されている支持体はその一端側のみで相互に連結された片持ち材として形成されていることを特徴とする請求項７記載のマッサージ機。
【発明の詳細な説明】
【０００１】
【発明の属する技術分野】
本発明は空気袋の膨張収縮によって人体に対するマッサージを行うマッサージ機に関するものである。
【０００２】
【従来の技術】
脚や腕に対して空気袋の膨張収縮でマッサージを行うマッサージ機として、特開平８−８９５４０号公報に示されたものがある。これは図１１に示すように、人体の脚や腕のような被マッサージ部を受ける凹溝部１を本体１０に設けるとともに、この凹溝部１の左右の内側面に夫々空気袋２，２を取りつけて、これら空気袋２，２を膨張収縮させることで、凹溝部１に位置させた被マッサージ部に圧迫刺激を与えるものである。
【０００３】
【発明が解決しようとする課題】
上記マッサージ機では、凹溝部１に脚や腕を載せるだけで、空気袋２に膨張収縮動作によるマッサージを受けることができるために、手軽にマッサージを受けることができるが、凹溝部１の内側面に空気袋２を配置する関係上、どうしても高さが高くなり、嵩が大きくなってしまう。
【０００４】
また、凹溝部１が存在する関係で、凹凸が多く、デザイン性に劣る。
【０００５】
本発明はこのような点に鑑みなされたものであって、その目的とするところは不使用時におけるデザイン性を高めたマッサージ機を提供するにあり、また収納性を高めたマッサージ機を提供するにある。
【０００６】
【課題を解決するための手段】
しかして本発明は、柔軟材からなるとともに左右両端が支持体に固定されて断面Ｕ字形に吊り下げ支持されている帯体と、人体の脚や腕のような被マッサージ部を受ける上記帯体の内面側に位置している空気袋と、この空気袋を膨張収縮させる空気供給手段とからなり、上記支持体が折り畳み自在となっていることに特徴を有している。
【０００７】
凹溝部が柔軟材からなる帯体で形成されている上に、支持体が折り畳み自在であることから、不使用時は支持体を折り畳むことによって嵩を小さくすることができる。
【０００８】
上記支持体はリンクとして形成されて折り畳み自在となっているもののほか、膨張収縮自在な空気袋で形成されたものを用いることができる。
【０００９】
空気袋からなる支持体を用いる場合、その膨張時の補強用の伸縮自在なリンク機構や、伸縮自在なテレスコピック機構を備えたものとするのが好ましく、また、空気袋からなる支持体を収縮させる方向に付勢する折り畳み促進手段を備えたものとするのも好ましい。
【００１０】
また本発明は、柔軟材からなるとともに左右両端が支持体に固定されて断面Ｕ字形に吊り下げ支持されている帯体と、人体の脚や腕のような被マッサージ部を受ける上記帯体の内面側に位置している空気袋と、この空気袋を膨張収縮させる空気供給手段とからなり、上記支持体は帯体を巻き取り収納する巻き取り手段を備えていることに他の特徴を有している。帯体を巻き取ることによって、凹溝部の無い状態とすることができる。
【００１１】
帯体が連結されている支持体はその一端側のみで相互に連結された片持ち材として形成しておくのも好ましい。特にパイプフレームで構成する場合など、コンパクトなものとすることができる。
【００１２】
【発明の実施の形態】
以下本発明を実施の形態の一例に基づいて詳述すると、図１に示すマッサージ機は、人体の両脚のふくらはぎ部分をマッサージするためのもので、ベース１３から４つの支持体１４がほぼ平行に立ち上がっている。そして、布やウレタンマットのような柔軟材からなる帯体３，３の各両端が夫々隣合う支持体１４，１４の上部に固定されて、断面Ｕ字形をなすように吊り下げられている。
【００１３】
マッサージのための空気袋２は、帯体３の内面に取り付けられており、これら空気袋３はエアポンプ及び排気弁を備えた給排気手段（図示せず）に接続されている。
【００１４】
このものにおいて、支持体１４から吊り下げられた帯体３は、その両端においてのみ支持体１４に接触しており、他の部分は宙に浮いた状態にある。このために、断面Ｕ字形をなす帯体３によって形成される凹溝部１に被マッサージ部９（脚）を載せれば、帯体３はその柔軟性のために被マッサージ部９の外形状に倣うものであり、従って空気袋２を膨張させることで左右から被マッサージ部９に圧迫刺激を与えるにあたり、被マッサージ部９の太さに関係なく、適切な刺激を与えることができるとともに、被マッサージ部９を包みこむような刺激を与えることができる。
【００１５】
ここにおいて、帯体３を吊り下げている支持体１４は、その下端がベース１３の左右方向にスライド自在に連結されるとともに、９０度だけ回転させることができる状態で連結されており、凹溝部１の左右に位置する支持体１を外側に広げる方向に回転させつつ支持体１の下端のベース１３との連結部をスライドさせれば、図１(b)に示すように、支持体１４を折り畳んでベース１３に重ねて嵩の低いものとすることができ、この時、凹溝部１は上述のように柔軟な帯体３で形成されているために、折り畳みについての支障となることもない。
【００１６】
図２に他例を示す。ここでは支持体１４を膨張収縮自在な空気袋によって形成している。マッサージを行いたい場合は、支持体１４を膨張させて帯体３を吊り下げ支持することができる状態とし、不使用時は支持体１４から空気を抜いて折り畳むのである。図中１６は、支持体１４を膨張収縮させるための給排気手段であり、この給排気手段におけるエアポンプは、空気袋２のための給排気手段におけるエアポンプと共用であってもよい。
【００１７】
空気袋からなる支持体１４を用いる場合は、支持体１４の上端とベース１３とをレイジィトング型のリンク機構１７で連結しておくと、マッサージ時における帯体３の支持位置の変動を防止することができ、マッサージ中に支持位置が逃げることによる損失を無くすことができる。
【００１８】
図４は空気袋からなる支持体１４の補強のためのリンク機構１７の他例を示すもので、ここにおけるリンク機構１７は、図４に示すように、中央部が回動自在に連結されるとともに、各一端がベース１３と支持体１４上端とに回動自在に連結され、各他端がベース１３と支持体１４上端とにスライド自在且つ回動自在に連結された２本のリンクで形成してある。
【００１９】
空気袋からなる支持体１４の補強は、図５に示すように、伸縮自在なテレスコピック機構１８によって行ってもよい。この場合、空気袋である支持体１４はテレスコピック機構１８の内部に位置させるとよい。
【００２０】
ところで、空気袋からなる支持体１４を用いた場合、空気を抜いて収縮させるのに時間がかかってしまう。図６はこの点に鑑みたもので、空気を抜いて支持体１４を折り畳む方向にばね付勢する引っ張りばね１９を支持体１４内に内蔵している。図７に示すように、排気ポンプ１６’を設けて強制排気するようにしても折り畳み動作を促進することができる。
【００２１】
図８に別の例を示す。ここでは帯体３の一端を支持体１４に内蔵させた巻取り機構５に接続しており、不使用時には巻き取り機構５によって帯体３を巻き取ることで、断面Ｕ字形に吊り下げられている帯体３を平坦な状態にすることができるようにしている。凹凸のないデザイン性に優れた状態に移行させることができるものである。
【００２２】
この時、図９に示すように、支持体１４同士の連結が一端側でなされた他端が自由端となっているもの、殊にパイプフレームで形成したものを用いると、全体としての嵩が小さくて収納性に優れたものとすることができる。
【００２３】
折り畳み自在な支持体１４に上記巻き取り機構５を設けてもよい。
【００２４】
支持体１４の帯体３が取り付けられる部分の形状は、人体の被マッサージ部９形状に倣う形状としておくのが好ましい。図１０はこの場合の一例を示しており、先端ほど細くなる脚（ふくらはぎ部分）に合わせた形状としている。脚である空気袋２や帯体３と被マッサージ部９とのなじみが良くなるために、空気袋２を膨張収縮させた際の被マッサージ部９が感ずる応答速度が良好となる上に、被マッサージ部９に伝わる力の割合も増えるものとなる。
【００２５】
【発明の効果】
以上のように本発明においては、凹溝部が柔軟材からなる帯体で形成されている上に、支持体が折り畳み自在であることから、不使用時は支持体を折り畳むことによって嵩を小さくすることができるものであり、不使用時のデザイン性を高めることができるとともにコンパクトとなるために収納性も高くなる。しかも支持体を折り畳むことによって嵩を小さくするにあたり、空気袋が内面側に位置している帯体を支持体から取り外さなくてもよく、帯体を連結したままで支持体を折り畳むことができるものであり、殊に帯体を吊り下げ支持している関係で、支持体の折り畳みに関して帯体が与える制限が極めて少ないものである。
【００２６】
上記支持体はリンクとして形成されて折り畳み自在となっているものを用いるのが容易であるが、膨張収縮自在な空気袋で形成されたものを用いると、エアポンプによる空気供給で使用状態にセットすることができるために、操作が煩わしくないものを得ることができる。
【００２７】
空気袋からなる支持体を用いる場合は、膨張時の補強用の伸縮自在なリンク機構や、伸縮自在なテレスコピック機構を備えたものとすると、支持体が空気袋であるにもかかわらず、マッサージ中に帯体の支持位置が逃げてマッサージ動作に関して損失が生じてしまうことを防ぐことができる。
【００２８】
また、空気袋からなる支持体を収縮させる方向に付勢する折り畳み促進手段を備えたものとすると、支持体を収縮させて折り畳むことを迅速に行うことができる。
【００２９】
さらに、柔軟材からなるとともに左右両端が支持体に固定されて断面Ｕ字形に吊り下げ支持されている帯体と、人体の脚や腕のような被マッサージ部を受ける上記帯体の内面側に位置している空気袋と、この空気袋を膨張収縮させる空気供給手段とからなり、上記支持体は帯体を巻き取り収納する巻き取り手段を備えているものでは、帯体を巻き取ることによって、凹溝部の無い状態とすることができるために、不使用時のデザイン性の向上を図ることができる。
【００３０】
また、帯体が連結されている支持体はその一端側のみで相互に連結された片持ち材として形成しておくと、薄型でコンパクトなものを容易に得ることができ、特にパイプフレームで構成する場合など、きわめてコンパクトなものとすることができる。
【図面の簡単な説明】
【図１】本発明の実施の形態の一例を示すもので、(a)は正面図、(b)は折り畳み時の正面図である。
【図２】他例を示すもので、(a)は正面図、(b)は折り畳み時の正面図である。
【図３】さらに他例を示すもので、(a)は正面図、(b)は折り畳み時の正面図である。
【図４】別の例を示すもので、(a)は正面図、(b)は折り畳み時の正面図である。
【図５】さらに別の例を示すもので、(a)は正面図、(b)は折り畳み時の正面図である。
【図６】異なる例の正面図である。
【図７】他の例の正面図である。
【図８】別の例の正面図である。
【図９】さらに別の例を示すもので、(a)は正面図、(b)は平面図である。
【図１０】他例の平面図である。
【図１１】従来例の斜視図である。
【符号の説明】
１  凹溝部
２  空気袋
３  帯体
１４  支持体
【図１】
0003707296.tif 000002
【図２】
0003707296.tif 000003
【図３】
0003707296.tif 000004
【図４】
0003707296.tif 000005
【図５】
0003707296.tif 000006
【図６】
0003707296.tif 000007
【図７】
0003707296.tif 000008
【図８】
0003707296.tif 000009
【図９】
0003707296.tif 000010
【図１０】
0003707296.tif 000011
【図１１】
0003707296.tif 000012